(57)【要約】【課題】無線送信装置からの送信信号に発生しているキャリアリークを抑圧することが可能なキャリアリーク調整装置及びキャリアリーク調整方法を提供する。【解決手段】キャリアリーク調整装置を、局部発信器と、局部発信器からの信号により送信信号を変調する変調部と、変調された信号を分岐する第１の分岐部と、第１の分岐部の後段で変調された信号を分岐する第２の分岐部と、第１の分岐部により分岐された信号を用いて第２の分岐部により分岐された信号の周波数変換を行う周波数変換部と、周波数変換された信号のうちキャリアリークが含まれる信号を抽出する信号抽出部と、抽出された信号に基づいて変調された信号のキャリアリークが抑圧されるように送信信号の電圧を調整する調整部とを備える構成とする。【選択図】図１
2014150500.tif 000002
【特許請求の範囲】
【請求項１】
局部発信器と、
前記局部発信器からの信号により送信信号を変調する変調部と、
前記変調された信号を分岐する第１の分岐部と、
前記第１の分岐部の後段で前記変調された信号を分岐する第２の分岐部と、
前記第１の分岐部により分岐された信号を用いて前記第２の分岐部により分岐された信号の周波数変換を行う周波数変換部と、
前記周波数変換された信号のうちキャリアリークが含まれる信号を抽出する信号抽出部と、
前記抽出された信号に基づいて前記変調された信号のキャリアリークが抑圧されるように前記送信信号の電圧を調整する調整部と、
を備えるキャリアリーク調整装置。
【請求項２】
前記キャリアリーク調整装置は、さらに前記変調された信号の電圧を増幅する第１の増幅部と第２の増幅部とを備え、
前記第１の分岐部は、前記第１の増幅部と前記第２の増幅部の間に設けられる
請求項１に記載のキャリアリーク調整装置。
【請求項３】
前記キャリアリーク調整装置は、さらに
前記変調された信号の電圧を増幅する第３の増幅部と、
前記分岐された信号の電圧を増幅する第４の増幅部と、
を備え、
前記第１の分岐部は、前記変調部と前記第３の増幅部の間に設けられる
請求項１に記載のキャリアリーク調整装置。
【請求項４】
前記キャリアリーク調整装置は、さらに前記変調された信号の電圧を増幅する第５の増幅部を備え、
前記第１の分岐部は、前記第５の増幅部の後段に設けられる
請求項１に記載のキャリアリーク調整装置。
【請求項５】
前記キャリアリーク調整装置は、さらに
前記キャリアリーク調整装置の温度を計測する温度計測部と
前記調整部によって前記電圧の調整に使用された調整値と前記計測された温度を対応させて記憶する記憶部と
を備え、
前記調整部は、前記温度計測部の温度を読み出し、該読み出した温度に基づいて前記記憶部から読み出した調整値を使用して、前記送信信号の電圧を調整する
請求項１から請求項４のいずれか１項に記載のキャリアリーク調整装置。
【請求項６】
送信部に供給される送信信号を局部発信器からの信号により変調し、
前記変調された信号を第１の分岐信号として分岐し、
前記第１の分岐信号として分岐した後で、前記変調された信号を第２の分岐信号として分岐し、
前記第１の分岐信号を用いて前記第２の分岐信号の周波数変換を行い、
前記周波数変換された信号のうちキャリアリークが含まれる信号を抽出し、
前記抽出された信号に基づいて前記変調された信号のキャリアリークが抑圧されるように前記送信信号の電圧を調整する
キャリアリーク調整方法。
【請求項７】
前記送信部の温度を計測し、
前記電圧の調整に使用した調整値と前記計測した温度を対応させて記憶し、
計測した温度と該計測した温度に対応付けられた調整値を使用して、前記送信信号の電圧を調整する
請求項６に記載のキャリアリーク調整方法。
【発明の詳細な説明】
【技術分野】
【０００１】
本発明は、キャリアリーク調整装置及びキャリアリーク調整方法に関する。
【背景技術】
【０００２】
近年、無線通信において、デジタル化による高能率の伝送が採用されるようになってきている。無線通信に多値位相変調方式を適用する場合では、隣接チャネルの漏洩電力を低減する技術が重要である。このような技術によって、無線基地局等の無線送信装置側では、送信用電力増幅器の増幅特性を直線化して非線形歪が抑えられる。このような増幅器の歪を補償する装置として歪補償増幅装置がある。歪補償増幅装置は、携帯電話等の端末や無線通信を行う無線基地局等の無線通信装置に用いられる。
【０００３】
歪補償増幅装置では、ベースバンド信号の同相成分であるＩ（In-phase）信号と直交位相成分であるＱ（Quadrature-phase）信号が直交変調器に入力される。直交変調器は、搬送波の正弦波成分及び余弦波成分を直交変調する変調器である。ここで、Ｉ信号、Ｑ信号に直流成分が残留していると、「キャリアリーク」と呼ばれる不要な信号が発生する。信号成分に対するキャリアリーク成分の割合が大きいと、変調出力信号におけるいわゆる原点オフセットが大きくなる。その結果、変調精度が低下したり、無線受信装置側での復調誤りが増大したりする要因になる。
【０００４】
そこで、キャリアリークを抑圧するため、例えば特許文献１の歪補償増幅装置ではキャリアリーク制御回路を採用している。特許文献１では、直交変調器において発生したキャリアリークをＢＰＦ（Band Pass Filter）を通して検出する。
【先行技術文献】
【特許文献】
【０００５】
【特許文献１】特開平９−８３５８７号公報
【発明の概要】
【発明が解決しようとする課題】
【０００６】
しかし、直交変調器において変調を行う際に送信信号の主信号の中心周波数からＩＦ（Intermediate Frequency）周波数分だけ離れた位置にキャリアリークが発生した場合、上記の技術では、ＢＰＦの特性から、検出されるキャリアリーク信号が減衰する。ＢＰＦによって検出されるキャリアリーク信号が減衰すると、キャリアリークを適正に抑圧できず、依然として無線送信装置からの出力信号内において、キャリアリークがスプリアスとして観測される。
【０００７】
本件開示の技術は、上記の事情に鑑みてなされたものであり、その目的とするところは、キャリアリークを適正に抑圧することが可能なキャリアリーク調整装置及びキャリアリーク調整方法を提供することである。
【課題を解決するための手段】
【０００８】
一実施形態によるキャリアリーク調整装置は、局部発信器と、局部発信器からの信号により送信信号を変調する変調部と、変調された信号を分岐する第１の分岐部と、第１の分岐部の後段で変調された信号を分岐する第２の分岐部と、第１の分岐部により分岐された信号を用いて第２の分岐部により分岐された信号の周波数変換を行う周波数変換部と、周波数変換された信号のうちキャリアリークが含まれる信号を抽出する信号抽出部と、抽出された信号に基づいて変調された信号のキャリアリークが抑圧されるように送信信号の電
圧を調整する調整部とを備える。
【発明の効果】
【０００９】
一実施形態によれば、キャリアリークを適正に抑圧することが可能なキャリアリーク調整装置及びキャリアリーク調整方法を実現できる。
【図面の簡単な説明】
【００１０】
【図１】図１は、一実施形態に係る無線送信装置の送信部の概略の構成を示すブロック図である。
【図２】図２は、一実施形態に係る送信部で実行されるキャリアリーク調整時の処理を示すフローチャートである。
【図３】図３は、一実施形態に係る送信部で実行される通常運用時の処理を示すフローチャートである。
【図４】図４は、変形例１に係る無線送信装置の送信部の概略の構成を示すブロック図である。
【図５】図５は、変形例２に係る無線送信装置の送信部の概略の構成を示すブロック図である。
【発明を実施するための形態】
【００１１】
以下に、一実施形態に係るキャリアリーク調整装置及びキャリアリーク調整方法の詳細について、図面を参照しながら説明する。
【００１２】
図１は、一実施形態に係る無線送信装置１００の送信部１の概略の構成を示すブロック図である。本実施形態においては、送信部１がキャリアリーク調整装置として機能し、キャリアリーク調整方法を実行する。送信部１には、無線送信装置１００内のベースバンド信号発生部３６により出力されたベースバンド信号が入力される。このベースバンド信号は、Ｉ（同相）チャネルの信号とＱ（直交）チャネルの信号を含む送信信号である。以下、Ｉチャネルの信号をＩ信号、Ｑチャネルの信号をＱ信号と称する。送信部１に入力されるベースバンド信号は、歪補償部４８を経由してキャリアリーク調整部１８に送られる。歪補償部４８は、ベースバンド信号発生部３６からのベースバンド信号とフィードバック（ＦＢ）信号処理部２８からのフィードバック信号を比較演算する。フィードバック信号は、電力アンプ１０により増幅された送信信号を、周波数変換部３４、ＢＰＦ３２、ＡＤＣ（Analog Digital Converter）３０、ＦＢ信号処理部２８を有するフィードバック経路を介して復調した信号である。歪補償部４８は、当該比較演算の結果から歪補償係数を算出し、歪補償係数をベースバンド信号のＩ信号及びＱ信号に乗算する。これにより、送信部１から送出される送信信号における歪の発生が抑えられる。
【００１３】
キャリアリーク調整部１８は、調整部の一例である。キャリアリーク調整部１８は、フィードバック信号からベースバンド信号を減算し、送信信号のＤＣ（Direct Current）オフセット成分のみを取り出した誤差信号を生成する。そして、キャリアリーク調整部１８は、この誤差信号を用いて、ベースバンド信号のオフセット電圧を変更することにより、Ｉ信号及びＱ信号のＤＣオフセットレベルを調整する。なお、ＤＣオフセットレベルの調整方法については、例えば、特開２００７−２０８３８０号公報、国際公開ＷＯ２００５／０２５１６８に記載されており、その説明は省略する。キャリアリーク調整部１８による調整が施されたＩ信号及びＱ信号は、ＤＡＣ（Digital Analog Converter）２に送られる。ＤＡＣ２は、入力されたＩ信号及びＱ信号をＤ／Ａ変換によりアナログ信号に変換する。ＤＡＣ２によりアナログ信号に変換されたＩ信号及びＱ信号は、直交変調部４に送られる。
【００１４】
直交変調部４は、入力されたＩ信号及びＱ信号に対して、ローカルＯＳＣ（Oscillator
）２０から出力される基準搬送波信号を用いた高周波変調を行う。本実施形態では、例えば、直交変調部４は、コンプレックスＩＦ（Intermediate Frequency）変調を行う。直交変調部４において、Ｉ信号及びＱ信号は、Ｉ信号の経路とＱ信号の経路とにそれぞれ分かれて伝播する。直交変調部４では、Ｉ信号の経路とＱ信号の経路とに、それぞれ図示しない乗算器が設けられる。そして、直交変調部４において、ローカルＯＳＣ２０からの基準搬送波信号は、Ｉ信号の経路とＱ信号の経路上の乗算器のうち一方の乗算器には直接供給され、他方の乗算器には、図示しない位相器により位相が所定量ずらされて供給される。
【００１５】
Ｉ信号及びＱ信号は、乗算器においてそれぞれ高周波変調される。変調されたＩ信号及びＱ信号は、乗算器の後段に設けられた図示しない加算器により合成される。合成されたＩ信号及びＱ信号である変調信号は、駆動アンプ６に送られる。駆動アンプ６は、直交変調部４から出力された変調信号の出力を増幅する増幅部である。増幅された変調信号は、カプラ８を経由する。カプラ８は、第１の分岐部の一例である。カプラ８では変調信号が分岐され、分岐された信号は電力アンプ１０とスイッチ２６とにそれぞれ送られる。カプラ８によって分岐された信号は、第１の分岐信号の一例である。
【００１６】
電力アンプ１０は、カプラ８から送られてきた変調信号の電力をあらかじめ設定されている増幅率に基づいて増幅する増幅部である。電力アンプ１０によって電力を増幅された変調信号は、カプラ１２を経由する。カプラ１２は、第２の分岐部の一例である。カプラ１２では変調信号が分岐され、分岐された信号はＢＰＦ１４と周波数変換部３４とにそれぞれ送られる。カプラ１２によって分岐された信号は、第２の分岐信号の一例である。ＢＰＦ１４では、変調信号の所定の高周波の信号成分が抽出される。そして、ＢＰＦ１４は、抽出された変調信号を通信用のパルス信号としてアンテナ１６へ出力する。アンテナ１６は、ＢＰＦ１４から送られた変調信号を無線信号として送出する。
【００１７】
なお、アンテナ１６から送出された無線信号は、図示しない無線受信装置により受信される。無線受信装置では、受信された無線信号から復調器によってデジタルデータが取り出される。復調されたデジタルデータは、無線送信装置１００と図示しない無線受信装置の間の伝送路の影響によって誤りを含んでいる場合がある。そこで、復号化によって誤りの訂正が行われる。誤り訂正処理の行われたデータからは、情報源復号化によって元のデジタルデータが復元され、その後データの種類に応じた適当な処理が行われる。
【００１８】
図１に示すように、カプラ８から分岐された変調信号のうち一方の変調信号は、スイッチ２６に送られる。また、ローカルＯＳＣ２０から出力される基準搬送波信号もスイッチ２６に送られる。スイッチ２６は、信号切替部の一例である。後述するように、スイッチ２６は、送信部１を備える無線送信装置１００の運用モードに応じて切り替えられる。本実施形態において、スイッチ２６は、ユーザが手動で切り替える構成とする。スイッチ２６の切り替えに応じて、周波数変換部３４には、ローカルＯＳＣ２０からの基準搬送波信号とカプラ８からの変調信号のいずれかが周波数変換部３４に入力される。
【００１９】
周波数変換部３４には、カプラ１２から分岐された変調信号も入力される。周波数変換部３４では、スイッチ２６から入力されるローカルＯＳＣ２０からの基準搬送波信号あるいはカプラ８からの変調信号によって、カプラ１２から入力される変調信号がダウンコンバートされる。周波数変換部３４では、ダウンコンバートされた信号は、図示しない増幅器により適宜増幅された後、ＢＰＦ３２に送られる。ＢＰＦ３２では、帯域制限により所定の周波数の信号が抽出される。ＢＰＦ３２は、信号抽出部の一例である。ＢＰＦ３２を通過した信号は、ＡＤＣ３０に送られる。ＡＤＣ３０では、信号がデジタル信号に変換される。ＡＤＣ３０は、ＢＰＦ３２を通過した信号の振幅情報を検波し、復調（ＩＱ変換）したデジタル信号をＦＢ信号処理部２８に入力する。
【００２０】
ＦＢ信号処理部２８は、後述するように、歪補償処理を行う場合は、ＡＤＣ３０から入力されるデジタル信号を歪補償部４８に送る。また、ＦＢ信号処理部２８は、キャリアリーク調整処理を行う場合は、ＡＤＣ３０から入力されるデジタル信号をキャリアリーク調整部１８に送る。歪補償部４８とキャリアリーク調整部１８は、ＦＢ信号処理部２８から出力される信号を用いて、上述の歪補償あるいはキャリアリーク調整を行う。
【００２１】
温度センサ２２は、送信部１の温度を計測する温度計測部である。一般的に、ＤＣオフセットレベルの調整に用いるオフセット電圧は、送信部１の周辺温度に依存して変化する。このような温度変化に起因する最適なオフセット電圧の変動は、無線送信装置１００において、適正なキャリアリークの抑圧を阻害し、信号品質を大きく劣化させる要因となる。このため、送信部１の動作中であっても、オフセット電圧が変動した際に、適宜、オフセット電圧の再調整を行なえることが望ましい。
【００２２】
そこで、本実施形態では、温度センサ２２により計測した温度と当該温度におけるキャリアリーク調整部１８による適正なオフセット電圧の値とが、対応付けられて記憶部であるＲＡＭ（Random Access Memory）２４に記憶される。これにより、キャリアリーク調整部１８は、温度センサ２２の計測温度に基づいてＲＡＭ２４に記憶されたオフセット電圧の値を読み出す。そして、キャリアリーク調整部１８は、読み出したオフセット電圧の値を用いてベースバンド信号に対するＤＣオフセットレベルを調整する。本実施形態では、オフセット電圧の値を調整値としてＲＡＭ２４に記憶する。ただし、ＤＣオフセットレベルの調整に使用できる値であれば、ＲＡＭ２４に記憶される調整値はオフセット電圧の値に限られない。
【００２３】
次に、本実施形態における送信部１の動作に係る周波数の関係を、通常運用時とキャリアリーク調整時とに分けて説明する。本実施形態では、ＤＡＣ２から出力されるアナログベースバンド信号の周波数をＩＦとする。また、ローカルＯＳＣ２０から出力される基準搬送波信号の周波数をＬｏとする。
【００２４】
最初に、通常運用時の送信部１の動作について説明する。本実施形態において、通常運用時、ベースバンド信号発生部３６から送られたＩ信号、Ｑ信号が直交変調部４に入力され、変調波信号が送出される。また、スイッチ２６は、ローカルＯＳＣ２０からの基準搬送波信号が周波数変換部３４に入力されるように設定される。直交変調部４において、ＤＡＣ２からのベースバンド信号は、ローカルＯＳＣ２０からの基準搬送波信号によって、主信号に変換される。直交変調部４によって変換された主信号の周波数をＲＦ１とすると、以下の式（１）が成り立つ。
Ｌｏ−ＩＦ＝ＲＦ１・・・（１）
【００２５】
ここで、直交変調部４から出力される信号について、例えば、直交変調部４のＤＣオフセットにより、主信号の他に以下の式（２）の関係で示されるキャリアリーク（ローカルリーク）が発生する。式（２）においてキャリアリーク信号の周波数をＣＬ１とする。
Ｌｏ＝ＣＬ１・・・（２）
【００２６】
したがって、直交変調部４から出力される変調信号には、周波数がＲＦ１である主信号と周波数がＣＬ１であるキャリアリーク信号が含まれる。そして、カプラ８によってスイッチ２６へ分岐された信号と、カプラ１２によって周波数変換部３４へ分岐された信号にも、それぞれ周波数がＲＦ１である主信号と周波数がＣＬ１であるキャリアリーク信号とが含まれる。なお、本実施形態の説明において、カプラ８によってスイッチ２６へ分岐された信号に含まれる、主信号の周波数をＲＦ２、キャリアリーク信号の周波数をＣＬ２とする。また、カプラ１２によって周波数変換部３４へ分岐された信号に含まれる、主信号の周波数をＲＦ３、キャリアリーク信号の周波数をＣＬ３とする。すなわち、ＣＬ１、Ｃ
Ｌ２、ＣＬ３、ＲＦ１、ＲＦ２、ＲＦ３には以下の式（３）、（４）が成り立つ。
ＲＦ１＝ＲＦ２＝ＲＦ３・・・（３）
ＣＬ１＝ＣＬ２＝ＣＬ３・・・（４）
【００２７】
通常運用時においては、スイッチ２６は、ローカルＯＳＣ２０から出力される基準搬送波信号が周波数変換部３４に送られるように設定される。したがって、カプラ８から分岐される信号はスイッチ２６によって遮断される。このため、カプラ１２で周波数変換部３４へ分岐された信号は、ローカルＯＳＣ２０からの基準搬送波信号によってダウンコンバートされる。このとき、以下の式（５）が成り立つ。
Ｌｏ−ＲＦ３＝ＩＦ・・・（５）
【００２８】
本実施形態において、ＢＰＦ３２における通過帯域の中心周波数がＩＦとして設定されている。したがって、カプラ１２で周波数変換部３４へ分岐された信号のうち主信号は周波数がＩＦである信号に変換され、ＢＰＦ３２を通過する。ＢＰＦ３２を通過した主信号は、ＡＤＣ３０を経由してＦＢ信号処理部２８に送られる。ＦＢ信号処理部２８で検出された信号に基づいて、歪補償係数を算出し、歪補償部４８へ信号が送られる。
【００２９】
一方、カプラ１２で周波数変換部３４へ分岐された信号のうちキャリアリーク信号は、通常運用時では、周波数変換部３４において周波数変換されると、周波数がＩＦとならない。このとき、以下の式（６）が成り立つ。すなわち、周波数変換部３４によって周波数変換されたキャリアリーク信号は、ＢＰＦ３２を通過しない。
ＣＬ３−Ｌｏ＝ＣＬ１−Ｌｏ＝０・・・（６）
【００３０】
そこで、本実施形態では、スイッチ２６を切り替えて、カプラ８から分岐された主信号とキャリアリーク信号が周波数変換部３４に入力されるように設定することで、好適にキャリアリークを調整することができる。さらに、上記の通常運用時でも、キャリアリーク調整を行うことができる。以下に、キャリアリーク調整時の送信部１の動作について説明する。
【００３１】
本実施形態において、キャリアリーク調整時、ＦＢ信号処理部２８がＤＡＣ２に対してＩ信号及びＱ信号の固定振幅値を設定する。これにより、ＤＡＣ２からは、ベースバンド信号が、周波数、振幅、位相が変化しない無変調波信号である持続波として送出される。後述するように、キャリアリーク調整時は、カプラ８からの変調信号が周波数変換部３４のローカル信号として使用される。例えばＬＴＥ（Long Term Evolution）やＷ−ＣＤＭ
Ａ（Wideband-Code Division Multiple Access）等の帯域を持つ変調波を周波数変換部３４のローカル信号として用いると、周波数変換部３４は当該信号の周波数情報を正しく認識できない。このため、周波数変換部３４にて所望の周波数変換処理を行うことができなくなる。そこで、本実施形態では、キャリアリーク調整時に、無変調波信号を周波数変換部３４のローカル信号として用いる。
【００３２】
そして、スイッチ２６は、カプラ８からの無変調信号が周波数変換部３４に入力されるように設定される。したがって、ローカルＯＳＣ２０から出力される基準搬送波信号はスイッチ２６によって遮断される。そして、通常運用時と同様、直交変調部４において、ＤＡＣ２からのベースバンド信号は、ローカルＯＳＣ２０からの基準搬送波信号によって、主信号に変換される。直交変調部４によって変換された主信号の周波数をＲＦ１とすると、上記の式（１）が成り立つ。
【００３３】
ここで、直交変調部４から出力される無変調信号において、上記の式（２）の関係で示されるキャリアリークが発生する。したがって、当該無変調信号には、周波数がＲＦ１である主信号と周波数がＣＬ１であるキャリアリーク信号が含まれる。そして、通常運用時
と同様、カプラ８によってスイッチ２６へ分岐された信号と、カプラ１２によって周波数変換部３４へ分岐された信号にも、それぞれ周波数がＲＦ１である主信号と周波数がＣＬ１であるキャリアリーク信号が含まれる。また、カプラ８によってスイッチ２６へ分岐された信号に含まれる、主信号の周波数をＲＦ２、キャリアリーク信号の周波数をＣＬ２とする。さらに、カプラ１２によって周波数変換部３４へ分岐された信号に含まれる、主信号の周波数をＲＦ３、キャリアリーク信号の周波数をＣＬ３とする。したがって、ＣＬ１〜３、ＲＦ１〜３には上記の式（３）、（４）が成り立つ。
【００３４】
キャリアリーク調整時においては、カプラ１２で周波数変換部３４へ分岐された信号は、カプラ８からの無変調信号によってダウンコンバートされる。ここで、カプラ８からの無変調信号には、主信号とキャリアリーク信号とが含まれている。周波数変換部３４において、カプラ８からの主信号とキャリアリーク信号によって周波数変換されるとき、以下の式（７）が成り立つ。
ＣＬ３−ＲＦ２＝ＣＬ１−（Ｌｏ−ＩＦ）＝ＩＦ・・・（７）
【００３５】
したがって、カプラ１２で周波数変換部３４へ分岐された主信号とキャリアリーク信号のうちキャリアリーク信号は、周波数がＩＦである信号に変換され、ＢＰＦ３２を通過する。ＢＰＦ３２を通過したキャリアリーク信号は、ＡＤＣ３０を経由してＦＢ信号処理部２８に送られる。そして、ＦＢ信号処理部２８は、入力されるキャリアリーク信号のキャリアリークのレベルを検出する。ＦＢ信号処理部２８は、キャリアリークのレベルが所定のしきい値以下であるか否かを判定する。ＦＢ信号処理部２８は、キャリアリークのレベルが所定のしきい値を超えると判定した場合は、キャリアリーク信号をキャリアリーク調整部１８に送る。キャリアリーク調整部１８は、ＦＢ信号処理部２８から送られるキャリアリーク信号を用いて、上述の通りキャリアリーク調整を行う。
【００３６】
一方、カプラ１２で周波数変換部３４へ分岐された信号のうち主信号は、キャリアリーク調整時、周波数変換部３４において周波数変換されると、周波数がＩＦにならない。すなわち、周波数変換部３４によって変換された主信号は、ＢＰＦ３２を通らない。なお、キャリアリーク調整時、ＦＢ信号処理部２８は、歪補償部４８にはキャリアリーク信号を送らない。このため、歪補償部４８は歪補償処理を実行しない。したがって、ＦＢ信号処理部２８にキャリアリーク信号が入力されても、キャリアリーク信号が歪補償の処理に影響を及ぼす懸念はない。
【００３７】
次に、本実施形態における送信部１の動作について、フローチャートを参照しながら説明する。以下の説明では、各ステップをＳと略記する。
【００３８】
最初に、キャリアリーク調整時の動作について説明する。図２に、送信部１におけるキャリアリーク調整時の信号処理のフローチャートを示す。Ｓ１０１において、スイッチ２６が切り替えられる。これにより、カプラ８によって分岐された無変調信号が、周波数変換部３４に供給される。本実施形態では、送信部１を備える無線送信装置１００のユーザがスイッチ２６を手動で切り替える。次に、スイッチ２６が上記の通りに切り替えられると、Ｓ１０２において、ＦＢ信号処理部２８は、ＤＡＣ２に対してＩ信号及びＱ信号の固定振幅値を設定する。これにより、ＤＡＣ２に入力されるベースバンド信号は、無変調波信号として送出される。なお、キャリアリーク調整部１８に入力されたベースバンド信号は、ＤＡＣ２、直交変調部４、駆動アンプ６、カプラ８、電力アンプ１０、カプラ１２を順次伝播する。なお、各部の処理は上述の通りであるため、ここでは説明を省略する。
【００３９】
Ｓ１０３では、周波数変換部３４において、カプラ１２にて分岐された信号が、カプラ８にて分岐された信号をローカル信号として周波数変換される。上述の通り、周波数変換された信号は、ＢＰＦ３２、ＡＤＣ３０を経由してＦＢ信号処理部２８に入力される。Ｓ
１０４において、ＦＢ信号処理部２８は、周波数変換された信号のキャリアリークレベルを検出する。次いで、Ｓ１０５において、ＦＢ信号処理部２８は、検出したキャリアリークレベルが所定のしきい値以下であるか否かを判定する。所定のしきい値としては、例えば、通常運用時にアンテナ１６から送出される無線信号に含まれるキャリアリークが、無線送信装置１００での変調精度や無線受信装置でのビットエラーレートや伝送特性に影響を及ぼさないとして許容できる値が採用される。Ｓ１０５において、検出したキャリアリークレベルが所定のしきい値以下であると判定された場合は（Ｓ１０５：Ｙｅｓ）、本フローチャートを終了する。また、Ｓ１０５において、検出したキャリアリークレベルが所定のしきい値を超えると判定された場合は（Ｓ１０５：Ｎｏ）、ＦＢ信号処理部２８はＡＤＣ３０から入力された信号をキャリアリーク調整部１８に送る。そして、処理はＳ１０６に進む。
【００４０】
Ｓ１０６において、キャリアリーク調整部１８は、上述した通り、ＦＢ信号処理部２８から送られる信号を用いて、キャリアリーク調整部１８に入力されるベースバンド信号のＤＣオフセットレベルを調整する。そして、ＤＣオフセットレベルが調整されたベースバンド信号は、上述の通りＳ１０３と同様に周波数変換された後、ＦＢ信号処理部２８に送られる。Ｓ１０７において、ＦＢ信号処理部２８が、Ｓ１０６においてＤＣオフセットレベルを調整された無変調波信号に対して、キャリアリークレベルを検出する。
【００４１】
次に、Ｓ１０８において、ＦＢ信号処理部２８は、Ｓ１０５と同様に、検出されたキャリアリークレベルが所定のしきい値以下であるか否かを判定する。ＦＢ信号処理部２８により検出されたキャリアリークレベルが所定のしきい値以下であると判定された場合は（Ｓ１０８：Ｙｅｓ）、キャリアリークが正常に調整されたとして処理はＳ１０９に進む。一方、ＦＢ信号処理部２８により検出されたキャリアリークレベルが所定のしきい値を超えていると判定された場合は（Ｓ１０８：Ｎｏ）、処理はＳ１０６に戻る。
【００４２】
Ｓ１０９では、キャリアリーク調整部１８は、温度センサ２２から現在の温度を読み出し、Ｓ１０８でキャリアリークレベルが所定のしきい値以下と判定されたときにＳ１０６で行っていたＤＣオフセットレベル調整の調整値を、当該温度と関連付けてＲＡＭ２４に記憶する。ＲＡＭ２４には、例えば、テーブル等を用いて温度と調整値が対応付けられて記憶される。Ｓ１０９の処理が完了すると、本実施形態のキャリアリーク調整処理が完了する。
【００４３】
次に、通常運用時の動作について説明する。図３に、送信部１における通常運用時の信号処理のフローチャートを示す。Ｓ２０１において、ローカルＯＳＣ２０からの基準搬送波信号が周波数変換部３４に供給されるように、スイッチ２６が切り替えられる。本実施形態では、送信部１を備える無線送信装置１００のユーザがスイッチ２６を手動で切り替える。
【００４４】
スイッチ２６が上記の通り切り替えられると、Ｓ２０２では、キャリアリーク調整部１８は、ベースバンド信号発生部３６から歪補償部４８を経由してベースバンド信号を受信する。次に、Ｓ２０３において、キャリアリーク調整部１８は、温度センサ２２から現在の温度を読み出す。次いで、Ｓ２０４において、キャリアリーク調整部１８は、上記の通りＲＡＭ２４に記憶された、温度とＤＣオフセットレベルの調整値と対応付けを示すテーブルを参照する。そして、キャリアリーク調整部１８は、Ｓ２０３にて読み出した温度に対応付けられている調整値を読み出す。
【００４５】
次に、Ｓ２０５において、キャリアリーク調整部１８は、読み出した調整値を用いて、キャリアリーク調整部１８に入力されたベースバンド信号のＤＣオフセットレベルを調整する。このＤＣオフセットレベルが調整されたベースバンド信号は、ＤＡＣ２を経由して
直交変調部４で変調され、直交変調部４からキャリアリーク信号が好適に抑圧された変調信号として出力される。以上が通常運用時の送信部１の処理である。本実施形態では、通常運用時、送信部１は上述の処理を繰り返す。
【００４６】
以上の通り、本実施形態に係るキャリアリーク調整装置及びキャリアリーク調整方法により、好適にキャリアリークを抑圧することができる。また、カプラ８とＳＷ２６を設けるという簡易な構成により、直交変調部４から出力される送信信号を周波数変換部３４のローカル信号としても使用することができる。このため、キャリアリーク調整時に上述の周波数変換部３４のローカル信号を生成する別途の構成を設ける必要がない。
【００４７】
さらに、温度と調整値を記憶することで、以降は温度が同じであれば記憶された調整値を使用するだけでキャリアリークを調整することができるため、キャリアリーク調整の手間が省ける。また、送信部において、キャリアリークを抑圧するためのフィルタ回路を追加する必要がない。無線送信装置の組立時に行うキャリアリーク調整のための試験工程を削除したりすることもできる。また、製品出荷後の環境変化（温度や湿度変化等）により発生するキャリアリーク成分を抑圧することができる。
【００４８】
また、無線送信装置のメンテナンスや不具合発生時の診断において、キャリアリークレベルがスプリアスとして発生している場合にも、本実施形態に係るキャリアリーク調整装置及びキャリアリーク調整方法を利用することができる。
【００４９】
以上が本実施形態に関する説明であるが、送信部１、１１、２１やベースバンド信号発生部３６等の構成や処理は、上記の実施形態に限定されるものではなく、本発明の技術的思想と同一性を失わない範囲内において種々の変更が可能である。例えば、上記の実施形態では、カプラ８は、駆動アンプ７と電力アンプ１０との間に設けられる。カプラ８をこのような配置とすることで、送信部１の回路構成の簡素化を図ることができる。ただし、カプラ８の配置位置は、これに限られない。そこで、本実施形態の変形例を２例挙げて以下に説明する。
【００５０】
＜変形例１＞
図４は、上記の実施形態の変形例１における無線送信装置２００の送信部１１の概略の構成を示すブロック図である。なお、本変形例において、上記の実施形態と同一の構成要素については同一の番号を付し、詳細な説明は省略する。本変形例では、上記の実施例と異なり、カプラ３８が直交変調部４と駆動アンプ４０との間に配置されている。直交変調された変調信号がカプラに入力される点では、カプラ３８は上記の実施形態のカプラ８と同じである。しかし、カプラ３８に入力される変調信号は、駆動アンプ４０による増幅を受けていない。そのため、本変形例では、変調信号をカプラ３８によってスイッチ２６側へ分岐して、そのまま周波数変換部３４に入力しても、変調信号の信号レベルが周波数変換部３４のローカル信号レベルとしての動作範囲に入らず、周波数変換部３４が動作しないおそれがある。
【００５１】
そこで、本変形例では、カプラ３８とスイッチ２６との間に駆動アンプ４２を設けている。これにより、カプラ３８からスイッチ２６へ分岐される変調信号は、駆動アンプ４２により所定の増幅率にて増幅される。本変形例では、所定の増幅率は、変調信号の信号レベルが周波数変換部３４の動作可能なレベルとなるように適宜設定する。そして、上述の実施形態の説明の通り、カプラ３８から分岐した信号を周波数変換部３４のローカル信号として用いて周波数変換する。これにより、送信部１１はキャリアリークを調整する。したがって、本変形例により、直交変調部４から出力された変調信号を、増幅する前にカプラ３８で分岐させる構成としても、分岐した変調信号を適宜増幅することで、上記の実施形態と同様にキャリアリークを調整することができる。
【００５２】
＜変形例２＞
図５は、上記の実施形態の変形例２における無線送信装置３００の送信部２１の概略の構成を示すブロック図である。なお、本変形例においても、上記の実施形態と同一の構成要素については同一の番号を付し、詳細な説明は省略する。本変形例では、上記の実施例や変形例１とは異なり、カプラ４６が電力アンプ４４とカプラ１２との間に配置されている。直交変調された変調信号がカプラに入力される点では、カプラ４６は上記の実施形態のカプラ８、３８と同じである。しかし、カプラ４６に入力される変調信号は、駆動アンプ６及び電力アンプ４４によって増幅されている。したがって、上記のカプラ８、３８と同じ特性を有するカプラを用いてカプラ４６を構成すると、変調信号の電力が高すぎるために変調信号の信号レベルが周波数変換部３４のローカル信号レベルとしての動作範囲を超えてしまうおそれがある。
【００５３】
そこで、本変形例では、カプラ４６を、変調信号の信号レベルを周波数変換部３４のローカル信号レベルとしての動作範囲内に収まるまで減衰する結合量を有するカプラとして構成する。これにより、上述の実施形態の説明の通り、カプラ４６から分岐した信号を周波数変換部３４のローカル信号として用いて周波数変換を行い、キャリアリークを調整することができる。したがって、本変形例でも、直交変調部４から出力された変調信号を、増幅した後にカプラ４６で分岐させる構成としても、分岐した変調信号を適宜減衰することで、上記の実施形態と同様にキャリアリークを調整することができる。
【００５４】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。ここで、コンピュータは、例えば、送信部１のキャリアリーク調整部１８やＦＢ信号処理部２８等である。
【００５５】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリ等のメモリカード等がある。また、コンピュータ等に固定された記録媒体としてハードディスクやＲＯＭ等がある。
【００５６】
以上の実施形態に関し、さらに以下の付記を開示する。
【００５７】
（付記１）
局部発信器と、前記局部発信器からの信号により送信信号を変調する変調部と、前記変調された信号を分岐する第１の分岐部と、前記第１の分岐部の後段で前記変調された信号を分岐する第２の分岐部と、前記第１の分岐部により分岐された信号を用いて前記第２の分岐部により分岐された信号の周波数変換を行う周波数変換部と、前記周波数変換された信号のうちキャリアリークが含まれる信号を抽出する信号抽出部と、前記抽出された信号に基づいて前記変調された信号のキャリアリークが抑圧されるように前記送信信号の電圧を調整する調整部と、を備えるキャリアリーク調整装置。
【００５８】
（付記２）
前記キャリアリーク調整装置は、さらに前記変調された信号の電圧を増幅する第１の増幅部と第２の増幅部とを備え、前記第１の分岐部は、前記第１の増幅部と前記第２の増幅
部の間に設けられる付記１に記載のキャリアリーク調整装置。
【００５９】
（付記３）
前記キャリアリーク調整装置は、さらに前記変調された信号の電圧を増幅する第３の増幅部と、前記分岐された信号の電圧を増幅する第４の増幅部とを備え、前記第１の分岐部は、前記変調部と前記第３の増幅部の間に設けられる付記１に記載のキャリアリーク調整装置。
【００６０】
（付記４）
前記キャリアリーク調整装置は、さらに前記変調された信号の電圧を増幅する第５の増幅部を備え、前記第１の分岐部は、前記第５の増幅部の後段に設けられる付記１に記載のキャリアリーク調整装置。
【００６１】
（付記５）
前記キャリアリーク調整装置は、さらに前記キャリアリーク調整装置の温度を計測する温度計測部と、前記調整部によって前記電圧の調整に使用された調整値と前記計測された温度を対応させて記憶する記憶部とを備え、前記調整部は、前記温度計測部の温度に基づいて前記記憶部から読み出した調整値を使用して前記送信信号の電圧を調整する付記１から付記４のいずれかに記載のキャリアリーク調整装置。
【００６２】
（付記６）
送信部に供給される送信信号を局部発信器からの信号により変調し、前記変調された信号を第１の分岐信号として分岐し、前記第１の分岐信号として分岐した後で、前記変調された信号を第２の分岐信号として分岐し、前記第１の分岐信号を用いて前記第２の分岐信号の周波数変換を行い、前記周波数変換された信号のうちキャリアリークが含まれる信号を抽出し、前記抽出された信号に基づいて前記変調された信号のキャリアリークが抑圧されるように前記送信信号の電圧を調整するキャリアリーク調整方法。
【００６３】
（付記７）
前記送信部の温度を計測し、前記電圧の調整に使用した調整値と前記計測した温度を対応させて記憶し、計測した温度に対応付けられた調整値を使用して前記送信信号の電圧を調整する付記６に記載のキャリアリーク調整方法。
【符号の説明】
【００６４】
１、１１、２１    送信部
２    ＤＡＣ
４    直交変調部
６、４０、４２    駆動アンプ
８、１２、３８、４６    カプラ
１０、４４    電力アンプ
１８    キャリアリーク調整部
２０    ローカルＯＳＣ
２２    温度センサ
２４    ＲＡＭ
２６    スイッチ
２８    フィードバック（ＦＢ）信号処理部
３４    周波数変換部
３６    ベースバンド信号発生部
４８    歪補償部
１００、２００、３００    無線送信装置
【図１】
2014150500.tif 000003
【図２】
2014150500.tif 000004
【図３】
2014150500.tif 000005
【図４】
2014150500.tif 000006
【図５】
2014150500.tif 000007